【手続補正書】
【提出日】平成26年10月20日(2014.10.20)
【手続補正１】
【補正対象書類名】明細書
【補正対象項目名】０００８
【補正方法】変更
【補正の内容】
【０００８】
上述した課題を解決するために本発明の撮像装置は、ライブビュー画像を表示しながら撮影指示を待機するモニタリング動作を行うモニタリング手段と、前記モニタリング動作の実行中に撮影が指示された際に、撮像素子により撮像されるＲＡＷ画像から記録用の記録画像を生成する現像処理を開始し、前記モニタリング動作の実行と平行して現像処理を継続的に実行する現像手段と、前記現像手段により前記モニタリング動作と平行して実行されている現像処理が完了した後、この現像処理で得られた記録画像を記録する記録手段と、前記モニタリング動作の実行中に、前記現像手段により実行中の現像処理の処理状態を判別する判別手段と、前記判別手段によって判別された現像処理の処理状態を、前記モニタリング動作の実行中に前記ライブビュー画像と共に表示する表示制御手段と、を備えたことを特徴とする。
【手続補正２】
【補正対象書類名】明細書
【補正対象項目名】０００９
【補正方法】変更
【補正の内容】
【０００９】
上述した課題を解決するために本発明の撮像方法は、ライブビュー画像を表示しながら撮影指示を待機するモニタリング動作を行う処理と、前記モニタリング動作の実行中に撮影が指示された際に、撮像素子により撮像されるＲＡＷ画像から記録用の記録画像を生成する現像処理を開始し、前記モニタリング動作の実行と平行して現像処理を継続的に実行する処理と、前記モニタリング動作と平行して実行されている現像処理が完了した後、この現像処理で得られた記録画像を記録する処理と、前記モニタリング動作の実行中に、前記実行中の現像処理の処理状態を判別する処理と、前記判別された現像処理の処理状態を、前記モニタリング動作の実行中に前記ライブビュー画像と共に表示する処理と、を含むことを特徴とする。
【手続補正３】
【補正対象書類名】明細書
【補正対象項目名】００１０
【補正方法】変更
【補正の内容】
【００１０】
上述した課題を解決するために本発明のプログラムは、コンピュータを、ライブビュー画像を表示しながら撮影指示を待機するモニタリング動作を行うモニタリング手段、前記モニタリング動作の実行中に撮影が指示された際に、撮像素子により撮像されるＲＡＷ画像から記録用の記録画像を生成する現像処理を開始し、前記モニタリング動作の実行と平行して現像処理を継続的に実行する現像手段、前記現像手段により前記モニタリング動作と平行して実行されている現像処理が完了した後、この現像処理で得られた記録画像を記録する記録手段、前記モニタリング動作の実行中に、前記現像手段により実行中の現像処理の処理状態を判別する判別手段、前記判別手段によって判別された現像処理の処理状態を、前記モニタリング動作の実行中に前記ライブビュー画像と共に表示する表示制御手段として機能させることを特徴とする。
【手続補正４】
【補正対象書類名】特許請求の範囲
【補正対象項目名】全文
【補正方法】変更
【補正の内容】
【特許請求の範囲】
【請求項１】
ライブビュー画像を表示しながら撮影指示を待機するモニタリング動作を行うモニタリング手段と、
前記モニタリング動作の実行中に撮影が指示された際に、撮像素子により撮像されるＲＡＷ画像から記録用の記録画像を生成する現像処理を開始し、前記モニタリング動作の実行と平行して現像処理を継続的に実行する現像手段と、
前記現像手段により前記モニタリング動作と平行して実行されている現像処理が完了した後、この現像処理で得られた記録画像を記録する記録手段と、
前記モニタリング動作の実行中に、前記現像手段により実行中の現像処理の処理状態を判別する判別手段と、
前記判別手段によって判別された現像処理の処理状態を、前記モニタリング動作の実行中に前記ライブビュー画像と共に表示する表示制御手段と、
を備えたことを特徴とする撮像装置。
【請求項２】
前記モニタリング動作は、撮像素子により逐次撮像して得られるＲＡＷ画像から表示用のライブビュー画像を生成して表示手段に逐次表示するライブビュー表示処理と、このライブビュー表示処理の実行中に、撮影が指示されたか否かを逐次判断する撮影指示判断処理とを含み、
前記現像手段は、前記撮影指示判断処理により撮影が指示されたと判断された際に、撮像素子により撮像されるＲＡＷ画像から記録用の記録画像を生成する現像処理を開始し、
前記撮影指示判断処理は、前記現像手段による前記現像処理の実行中も継続して実行されることを特徴とする請求項１に記載の撮像装置。
【請求項３】
前記現像手段は、前記現像手段による前記現像処理の実行中に前記撮影指示判断処理により新たな撮影が指示されたと判断された場合は、撮像素子により新たに撮像されるＲＡＷ画像を現像処理の待ち状態とし、実行中の現像処理が完了した後に待ち状態となっているＲＡＷ画像の現像処理を開始することを特徴とする請求項２に記載の撮像装置。
【請求項４】
前記撮影指示判断処理は、前記表示制御手段による前記現像処理の処理状態の表示中も継続して実行され、
前記現像手段は、前記表示制御手段による前記現像処理の処理状態の表示中であっても、前記撮影指示判断処理により撮影が指示されたと判断された場合には、撮像素子により新たに撮像されるＲＡＷ画像の現像処理を開始することを特徴とする請求項３に記載の撮像装置。
【請求項５】
前記判別手段は、前記モニタリング動作の実行中に、前記現像手段により実行中の現像処理が完了したか否かを逐次判断し、
前記表示制御手段は、前記判別手段によって現像処理が完了したと判別されたタイミングで、前記ライブビュー画像と共に現像処理が完了したことを示す表示を行うことを特徴とする請求項１乃至４のいずれかに記載の撮像装置。
【請求項６】
前記表示制御手段は、現像処理が完了したことを示す現像完了画像をライブビュー画像と共に表示することを特徴とする請求項５に記載の撮像装置。
【請求項７】
前記表示制御手段は、現像処理が完了した現像済みの撮影画像を所定のサイズに縮小し、その縮小画像を前記現像完了画像としてライブビュー画像と共に表示することを特徴とする請求項６に記載の撮像装置。
【請求項８】
前記表示制御手段は、前記現像完了画像が動きを伴って出現するようにその現像完了画像の表示を制御することを特徴とする請求項７に記載の撮像装置。
【請求項９】
前記表示制御手段は、前記現像完了画像の表示を開始してから一定時間が経過するまでその現像完了画像の表示を継続し、一定時間が経過した際に、現像完了画像が徐々に消えるようにその現像完了画像の表示を制御することを特徴とする請求項７に記載の撮像装置。
【請求項１０】
処理内容の異なる複数種の現像処理の中から任意の種類の現像処理を処理対象として選択する選択手段を更に備え、
前記表示制御手段は、前記判別手段によって現像処理が完了したことが判別された際に、前記選択手段によって選択された種類の現像処理が完了したことを示す現像完了画像をライブビュー画像と共に表示することを特徴とする請求項１乃至９のいずれかに記載の撮像装置。
【請求項１１】
前記現像手段は、一つの撮影画像に対して処理内容の異なる複数種の現像処理を行い、
前記表示制御手段は、前記現像手段によって行われる複数種の現像処理毎に、前記判別手段によって判別された現像の処理状態をライブビュー画像と共に表示することを特徴とする請求項１乃至１０のいずれかに記載の撮像装置。
【請求項１２】
前記表示制御手段は、複数の撮影画像の各々に対する現像の処理状態をライブビュー画像と共に並列的に表示することを特徴とする請求項１乃至１１のいずれかに記載の撮像装置。
【請求項１３】
前記現像手段による現像処理中に次の撮影が指示された際に、その指示に応じて撮影された撮影画像を前記現像手段による現像処理を待つ現像待ち画像として一時記憶する一時記憶手段を更に備え、
前記現像手段は、前記一時記憶手段に複数の現像待ち画像が記憶されている状態において現在実行中の現像処理が完了した際に、前記一時記憶手段に記憶されている複数の現像待ち画像を、その撮影順序の早い順に現像待ち画像を順次読み出して現像処理を行い、
前記判別手段によって現像待ち画像の現像処理が完了したことが判別される毎に、その現像完了画像をライブビュー画像と共に順次切替表示することを特徴とする請求項６に記載の撮像装置。
【請求項１４】
前記判別手段は、現像の処理状態として、現在の状態が現像処理の開始待ち状態か、現像処理の実行中状態か、現像処理の完了状態かを判別し、
前記表示制御手段は、前記判別手段により現在の処理状態が現像処理の開始待ち状態または現像処理の実行中状態であると判別された際に、現像処理が完了していないことを示す現像未完了画像をライブビュー画像と共に表示することを特徴とする請求項１３に記載の撮像装置。
【請求項１５】
前記現像未完了画像がライブビュー画像と共に表示されている状態において、その現像未完了画像の削除がユーザ操作により指示された場合に、現像処理の待ち状態の撮影画像に対する削除指示であれば、その現像処理を取消し、現像処理の実行中の撮影画像に対する削除指示であれば、その現像処理を中断する現像制御手段を更に備えることを特徴とする請求項１４に記載の撮像装置。
【請求項１６】
前記現像完了画像がライブビュー画像と共に表示されている状態において、その現像完了画像の削除がユーザ操作により指示された場合に、その現像完了画像に対応する現像済み撮影画像の記録を削除する記録制御手段を更に備えることを特徴とする請求項６に記載の撮像装置。
【請求項１７】
前記表示制御手段は、現像処理の開始待ち状態を示す画像と、現像処理の実行中状態を示す画像とを識別可能に表示することを特徴とする請求項１４に記載の撮像装置。
【請求項１８】
前記判別手段は、現像の処理状態として現像処理が完了したか否かを判別する際に、現在の状態が現像処理の開始待ち状態であれば、又は現像処理の実行中であれば、現像処理が完了していないと判別し、
画像を撮影する撮影モードと画像を再生する再生モードを切替るモード切替手段と、
前記モード切替手段によって撮影モードから再生モードに切替られた際に、前記判別手段によって現像処理が完了していないと判別された場合には、現在の状態が現像処理の開始待ち状態又は現像処理の実行中状態であることを示す情報を、再生画面に表示する再生手段と、
を更に備える、
ようにしたことを特徴とする請求項１乃至１７のいずれかに記載の撮像装置。
【請求項１９】
ライブビュー画像を表示しながら撮影指示を待機するモニタリング動作を行う処理と、
前記モニタリング動作の実行中に撮影が指示された際に、撮像素子により撮像されるＲＡＷ画像から記録用の記録画像を生成する現像処理を開始し、前記モニタリング動作の実行と平行して現像処理を継続的に実行する処理と、
前記モニタリング動作と平行して実行されている現像処理が完了した後、この現像処理で得られた記録画像を記録する処理と、
前記モニタリング動作の実行中に、前記実行中の現像処理の処理状態を判別する処理と、
前記判別された現像処理の処理状態を、前記モニタリング動作の実行中に前記ライブビュー画像と共に表示する処理と、
を含むことを特徴とする撮像方法。
【請求項２０】
コンピュータを、
ライブビュー画像を表示しながら撮影指示を待機するモニタリング動作を行うモニタリング手段、
前記モニタリング動作の実行中に撮影が指示された際に、撮像素子により撮像されるＲＡＷ画像から記録用の記録画像を生成する現像処理を開始し、前記モニタリング動作の実行と平行して現像処理を継続的に実行する現像手段、
前記現像手段により前記モニタリング動作と平行して実行されている現像処理が完了した後、この現像処理で得られた記録画像を記録する記録手段、
前記モニタリング動作の実行中に、前記現像手段により実行中の現像処理の処理状態を判別する判別手段、
前記判別手段によって判別された現像処理の処理状態を、前記モニタリング動作の実行中に前記ライブビュー画像と共に表示する表示制御手段
として機能させることを特徴とするプログラム。